(57)【特許請求の範囲】
【請求項１】
機能部を収容するハウジングと、
該機能部は回路基板アッセンブリと、ホルダーと、防水パッキンと、複数の防水栓とを含み、
前記ホルダーのホルダー本体には、基板保持部と、該ホルダー本体の外周に前記防水パッキンを前記ハウジングの内面との隙間を水密に埋めるように取り付けるパッキン取り付け部と、内面に前記防水栓が密着する複数の電線挿通孔とが形成されており、
該ハウジングの開口部を介して収容される該ホルダーと、該ホルダーを前記ハウジングに収容した状態で少なくとも電線引き出し部分を残して前記開口部を覆うカバーと、前記回路基板アッセンブリに接続され、前記防水栓を取り付けた状態で前記電線挿通孔に挿通されて前記電線引き出し部分から引き出される電線とを含み、
前記ホルダーには前記電線引き出し部分へ向けてのびる可撓性の板状となるホルダー板部を設け、
該ホルダー板部と前記ハウジングとの間には前記ホルダー板部の撓みを許容するように前記防水パッキンによって生ずる前記ホルダーの外周と前記ハウジングの内面との間隔を利用した撓み許容空間を設ける
ことを特徴とする電線保護構造。
【請求項２】
請求項１に記載の電線保護構造において、
前記ホルダー板部には、前記ハウジング側に突出して該ハウジングに接する複数のハウジング接触部を設ける
ことを特徴とする電線保護構造。
【請求項３】
請求項２に記載の電線保護構造において、
前記ハウジング接触部を前記撓み許容空間の両側に配設する
ことを特徴とする電線保護構造。
【請求項４】
請求項２又は３に記載の電線保護構造において、
前記ハウジング接触部を前記ハウジング内における前記ホルダーのガタ付き防止部としても用いる
ことを特徴とする電線保護構造。
【発明の詳細な説明】
【技術分野】
【０００１】
本発明は、電線保護構造に関し、詳しくはハウジングの電線引き出し部分に採用される電線保護構造に関する。
【背景技術】
【０００２】
電線端末に端子金具を設け、この端子金具をハウジングに収容すると、電線はハウジングから引き出された状態になる（下記特許文献１、２参照）。また、電線端末を基板に接続し、この基板をハウジングに収容すると、この場合も電線はハウジングから引き出された状態になる。
【先行技術文献】
【特許文献】
【０００３】
【特許文献１】特開平１１−１９１４４６号公報
【特許文献２】特開２０１１−５４３７０号公報
【発明の概要】
【発明が解決しようとする課題】
【０００４】
ハウジングから引き出された電線に対し外力が加わった場合、具体的には電線引き出し方向に交差する方向に引っ張られてハウジング端部に押し付けられるような外力が電線に対し加わった場合、電線が損傷してしまうという虞がある。
【０００５】
上記損傷は、ハウジング内において電線に負荷が掛けられた状態にあると起こり易くなると考えられる。すなわち、例えばホルダーを用いて電線をハウジング内で強制的に屈曲させ、この負荷が掛けられた状態で更に外力が電線に対し加わった場合、損傷が起こり易くなると考えられる。
【０００６】
本発明は、上記した事情に鑑みてなされたもので、電線に対し外力が加わった場合でも電線の損傷を防止することが可能な電線保護構造を提供することを課題とする。
【課題を解決するための手段】
【０００７】
上記課題を解決するためになされた請求項１に記載の本発明の電線保護構造は、機能部を収容するハウジングと、該機能部は回路基板アッセンブリと、ホルダーと、防水パッキンと、複数の防水栓とを含み、前記ホルダーのホルダー本体には、基板保持部と、該ホルダー本体の外周に前記防水パッキンを前記ハウジングの内面との隙間を水密に埋めるように取り付けるパッキン取付部と、内面に前記防水栓が密着する複数の電線挿通孔とが形成されており、該ハウジングの開口部を介して収容される該ホルダーと、該ホルダーを前記ハウジングに収容した状態で少なくとも電線引き出し部分を残して前記開口部を覆うカバーと、前記回路基板アッセンブリに接続され、前記防水栓を取り付けた状態で前記電線挿通孔に挿通されて前記電線引き出し部分から引き出される電線とを含み、前記ホルダーには前記電線引き出し部分へ向けてのびる可撓性の板状となるホルダー板部を設け、該ホルダー板部と前記ハウジングとの間には前記ホルダー板部の撓みを許容するように前記防水パッキンによって生ずる前記ホルダーの外周と前記ハウジングの内面との間隔を利用した撓み許容空間を設けることを特徴とする。
【０００８】
このような特徴を有する本発明によれば、ハウジングから引き出された電線に対し外力が加わって、この時に電線がホルダー板部に押し付けられると、ホルダー板部はハウジングとの間の撓み許容空間の存在により撓みが生じ、そして、この撓みによって押し付けの力が緩和される。従って、電線に対し外力が加わった場合でも電線の損傷に至ることはない。
【０００９】
請求項２に記載の本発明の電線保護構造は、請求項１に記載の電線保護構造に係り、前記ホルダー板部には、前記ハウジング側に突出して該ハウジングに接する複数のハウジング接触部を設けることを特徴とする。
【００１０】
このような特徴を有する本発明によれば、ホルダー板部に設けられたハウジング接触部がハウジングに接することにより、電線からの押し付けがない時にはホルダー板部の不必要な撓みが起こらず、そのため電線は所定方向へと引き出される。
【００１１】
請求項３に記載の本発明の電線保護構造は、請求項２に記載の電線保護構造に係り、前記ハウジング接触部を前記撓み許容空間の両側に配設することを特徴とする。
【００１２】
このような特徴を有する本発明によれば、ハウジング接触部の配置が規定されることにより、撓み許容空間としてのスペースが確保される。また、撓み許容空間の両側にハウジング接触部があることから、ホルダー板部の撓みが安定する。
【００１３】
請求項４に記載の本発明の電線保護構造は、請求項２又は３に記載の電線保護構造に係り、前記ハウジング接触部を前記ハウジング内における前記ホルダーのガタ付き防止部としても用いることを特徴とする。
【００１４】
このような特徴を有する本発明によれば、ハウジングに収容されたホルダーに対し例えば振動等が伝わったとしても、ホルダー板部に設けられたハウジング接触部の存在によりホルダーのガタ付きが防止される。
【発明の効果】
【００１５】
請求項１に記載された本発明によれば、可撓性の板状となるホルダー板部と、このホルダー板部の撓みを許容する撓み許容空間とを設けてなる構造であり、電線に対し外力が加わった場合に、電線がハウジングではなくホルダー板部に押し付けられる。そして、電線がホルダー板部に押し付けられることによりホルダー板部に撓みが生じ、この撓みによって押し付けの力が緩和される。従って、本発明によれば、電線引き出し部分にホルダー板部と撓み許容空間とを設ける構造を採用することで、電線に対し外力が加わった場合でも電線の損傷を防止することができるという効果を奏する。
【００１６】
請求項２に記載された本発明によれば、請求項１の効果に加え次のような効果も奏する。すなわち、ホルダー板部にハウジング接触部を設けることで、ホルダー板部の不必要な撓みを防止することができるという効果を奏する。
【００１７】
請求項３に記載された本発明によれば、請求項２の効果に加え次のような効果も奏する。すなわち、撓み許容空間の両側にハウジング接触部を配設することで、撓み許容空間を確保することができ、以てホルダー板部を確実に機能させることができるという効果を奏する。
【００１８】
請求項４に記載された本発明によれば、請求項２又は３の効果に加え次のような効果も奏する。すなわち、ホルダー板部にハウジング接触部を設けることで、ホルダーのガタ付きを防止することができるという効果を奏する。
【図面の簡単な説明】
【００１９】
【図１】本発明の電線保護構造を採用するＬＥＤユニットの斜視図である（実施例１）。
【図２】図１のＬＥＤユニットの縦断面図（円内は要部拡大断面図）である。
【図３】（ａ）及び（ｂ）はホルダーの斜視図である。
【図４】（ａ）は図１のＬＥＤユニットの背面図、（ｂ）はホルダー板部及び撓み許容空間の図である。
【図５】具体例となるＬＥＤユニットの図であり、（ａ）は斜視図、（ｂ）は分解斜視図、（ｃ）はホルダー板部及び撓み許容空間の図である（実施例２）。
【発明を実施するための形態】
【００２０】
電線保護構造は、ハウジングに収容されるホルダーに可撓性の板状となるホルダー板部を設けるとともに、ホルダー板部とハウジングとの間に撓み許容空間を設けてなる。このような電線保護構造は、ハウジングから電線が引き出される部分に採用される。
【実施例１】
【００２１】
以下、図面を参照しながら実施例１を説明する。図１は本発明の電線保護構造を採用するＬＥＤユニットの斜視図である。また、図２はＬＥＤユニットの縦断面図、図３（ａ）及び（ｂ）はホルダーの斜視図、図４（ａ）はＬＥＤユニットの背面図、図４（ｂ）はホルダー板部及び撓み許容空間の図である。
【００２２】
以下の説明において、具体的な形状、材料、数値、方向等は、本発明の理解を容易にするための例示であって、用途、目的、仕様等に合わせて適宜変更することができるものとする。
【００２３】
また、以下の説明において、本発明の電線保護構造をＬＥＤユニット、すなわち自動車等の移動体に組み付けられるＬＥＤユニットに採用するが、これに限定されないものとする。すなわち、ＬＥＤ以外の光源（ランプなど）を用いる照明ユニットや、発光表示部を有する表示装置等にも採用可能であるものとする。この他、電気的な接続を行うコネクタにも採用可能であるものとする。
【００２４】
図１において、引用符号１は本発明の電線保護構造を採用するＬＥＤユニットを示す。ＬＥＤユニット１は、例えば自動車の室内における図示しない照明対象を照らすためのものとして備えられる。尚、ＬＥＤユニット１は、電気自動車やハイブリッド自動車に組み付けられてもよく、その場合は例えば給電コネクタを照らすことも可能である。
【００２５】
図１及び図２において、ＬＥＤユニット１は、ハウジング２と、機能部３と、カバー４とを含んで構成される。機能部３は、収容空間６内への水分等の浸入を防止する防水構造を有する。このような機能部３は、ハウジング２の後部に開口する開口部５を介して収容空間６に収容される。開口部５は、電線引き出し部分７を残してカバー４にて覆われる。電線引き出し部分７からは、機能部３に接続された複数本の電線８が引き出される。電線引き出し部分７の近傍には、本発明に係る電線保護構造９が設けられる。以下、上記各構成について詳細に説明をする。
【００２６】
ハウジング２は、光透過性を有する合成樹脂材料を用いてなる樹脂成型品であって、上記の如く後部を開口させて開口部５が形成され、内部には収容空間６が形成される。ハウジング２は、この全体が透明で箱形状に形成される。このようなハウジング２の上壁には、光透過部１０が形成される。光透過部１０は、後述するＬＥＤ１８の位置に対応する部分が該当する。また、ハウジング２における左右両側壁の後部には、係止突起１１がそれぞれ形成される。係止突起１１は、カバー４を係止する部分として形成される。
【００２７】
ハウジング２の後部において、開口部５の左右縁部位置には、カバー４の後述する係止アーム２８の基端部分を係合させる係合凹部１２（図４参照）が形成される。係合凹部１２は、ハウジング２の左右両側壁の後部を凹状に切り欠いて形成される。開口部５の下縁部には、後述するホルダー板部２１が対向配置される。ホルダー板部２１が配置される部分は、電線引き出し部分７に含まれる。
【００２８】
機能部３は、回路基板アッセンブリ１３と、ホルダー１４と、防水パッキン１５と、複数の防水栓１６とを含んで構成される。回路基板アッセンブリ１３は、所望の回路パターンを有する基板１７と、この基板１７の表面（上面）側に実装されるＬＥＤ１８及び電子部品１９とを有する。
【００２９】
基板１７は、この両側部がハウジング２の内面に形成される図示しない支持部により支持される。また、基板１７は、この後部がホルダー１４に保持される。基板１７には、複数本の電線８が半田付けにより接続される。半田接続部分は、本実施例においてホルダー１４から近い部分に設定される。電線８は、電源供給用として、また、信号用として複数本設けられる。
【００３０】
ＬＥＤ１８は、箱状のパッケージ内に発光部を有し、基板１７の上記回路パターンに接続される。ＬＥＤ１８は、矢印Ｐ方向に発光して図示しない照明対象を照らす。尚、図中のＬＥＤ１８の配置は一例であるものとする。また、ＬＥＤ１８の数も一つに限らず任意であるものとする。
【００３１】
ホルダー１４は、合成樹脂材料を用いてなる樹脂成型品であって、ホルダー本体２０と、ホルダー板部２１とを有する。ホルダー本体２０は、この外周がハウジング２の内周よりも若干小さく、隙間が生じるように形成される。隙間は、防水パッキン１５により水密に埋められる。
【００３２】
図２及び図３において、ホルダー本体２０には、基板保持部２２と、パッキン取り付け部２３と、複数の電線挿通孔２４とが形成される。基板保持部２２は、基板１７の後部を保持する部分として形成される。
【００３３】
パッキン取り付け部２３は、防水パッキン１５に対する取り付け部分であって、ホルダー本体２０の外周が該当する。ホルダー本体２０の外周、すなわちパッキン取り付け部２３とハウジング２の内周はシール面として形成され、防水パッキン１５が密着するようになる。防水パッキン１５は、ゴム等の止水可能な材料を用いて環状となる形状に成型される。防水パッキン１５は弾性を有する。防水パッキン１５には、複数のリップ部分が形成される。
【００３４】
電線挿通孔２４は、予め防水栓１６を取り付けておいた電線８を挿通する部分であって、円形に貫通形成される。電線挿通孔２４の内面はシール面として形成され、防水栓１６が密着する。防水栓１６は、ゴム等の止水可能な材料を用いて略筒状となる形状に成型される。防水栓１６は弾性を有する。防水栓１６には、複数のリップ部分が形成される。
【００３５】
ホルダー板部２１は、ホルダー本体２０の下部から電線引き出し部分７へ向けてのびる板状の部分であって、ホルダー本体２０に比べ十分に薄肉で可撓性を有する。ホルダー板部２１は、本実施例においてホルダー本体２０と同じ幅で形成される（一例であるものとする。電線８の本数及び撓み状態に応じて幅寸法が設定されるものとする）。
【００３６】
ホルダー板部２１の表面（上面）には、ホルダー本体２０により強制的に屈曲させられた電線８が載置される。ホルダー板部２１の表面は、本実施例において平滑な平面に形成される。ホルダー板部２１の裏面（下面）は、ハウジング２の下壁に平行な状態で対向する（開口部５の下縁部から下壁内面に対向する）。
【００３７】
図２及び図４において、ホルダー板部２１の裏面は、ハウジング２の下壁に対向することから、これらの間には撓み許容空間２５が形成される。撓み許容空間２５は、ホルダー板部２１の撓みを許容する空間として形成される。
【００３８】
ホルダー板部２１の裏面には、ハウジング２の下壁に向けて突出する一対のハウジング接触部２６が形成される。このハウジング接触部２６は、上記裏面に一体化され、撓み許容空間２５の両側に配置される。ハウジング接触部２６は、ハウジング２の下壁に接触するように突出形成される。ハウジング接触部２６は、本実施例において、ホルダー本体２０とホルダー板部２１との連続位置から電線引き出し部分７へ向けて真っ直ぐにのびるリブ形状に形成される。
【００３９】
尚、撓み許容空間２５を確保することができればハウジング接触部２６の形状は特に限定されないものとする。ハウジング接触部２６は、本実施例において半円のリブ形状に形成されるが、例えば三角形のリブ形状であってもよいものとする。この他、リブ形状でなく例えば半球の突起形状であってもよいものとする。ハウジング接触部２６は、ホルダー板部２１の撓みが安定するような形状及び数が好ましいものとする。
【００４０】
ホルダー板部２１の撓みは、主にハウジング接触部２６間の撓み許容空間２５にて許容される。ホルダー板部２１は、ハウジング接触部２６を一体に有することから、不必要な撓みが規制される。すなわち、必要な剛性が確保される。この剛性により、通常時における電線８の引き出し方向が安定する。
【００４１】
ここでホルダー板部２１の撓み状態について、図２及び図４を参照しながら説明をする。
【００４２】
ホルダー本体２０により強制的に屈曲させられた電線８は、ホルダー板部２１の表面（上面）に載せられる。仮に矢印Ｑに示すような下方への引っ張りとなる外力が電線８に対し加わった場合には、ホルダー板部２１に図中の仮想線で示す撓みが生じる。撓みは、図２で見るとホルダー板部２１の先端側がハウジング２の下壁に向けて斜めに傾くような撓みになり、図４で見ると円弧状に湾曲するような撓みになる。このような撓み状態になることから、下方への押し付けの力が、ホルダー板部２１の存在しない場合と比べて格段に緩和される。従って、電線８に対し外力が加わった場合でも電線８の損傷に至ることはない。
【００４３】
ホルダー板部２１及び撓み許容空間２５は、本発明に係る電線保護構造９を構成する。また、ハウジング接触部２６も電線保護構造９を構成する。
【００４４】
図２及び図４にいて、カバー４は、合成樹脂材料を用いてなる樹脂成型品であって、カバー本体２７と、一対の係止アーム２８とを有する。カバー本体２７は、電線引き出し部分７を残して開口部５を覆う部分として形成される。係止アーム２８は、カバー本体２７の左右両側部に連続するように形成される。係止アーム２８は、ハウジング２の係止突起１１に引っ掛かり係止されるような略枠形状に形成される。係止アーム２８は、可撓性を有する。係止アーム２８の基端部分は、ハウジング２の係合凹部１２に対し差し込まれる状態で係合する。カバー４は、ハウジング２に係止されると、電線８の屈曲部分の後方を覆い、屈曲形状を維持する。カバー４は、所謂リアホルダーである。
【００４５】
上記構成及び構造に基づきながら本発明の特徴をまとめると、次のようになる。すなわち、本発明に係る電線保護構造９は、電線８と、この電線８の接続先となる基板１７と、基板１７を収容するハウジング２と、ハウジング２の開口部５を介して基板１７の後に収容されるホルダー１４と、このホルダー１４の収容後に少なくとも電線引き出し部分７を残してハウジング２の開口部５を覆うカバー４とを含むＬＥＤユニット１に採用される。そして、ホルダー１４には、電線引き出し部分７へ向けてのびる可撓性の板状となるホルダー板部２１を設け、このホルダー板部２１とハウジング２との間には、ホルダー板部２１の撓みを許容する撓み許容空間２５を設けることを特徴とする。
【００４６】
また、ハウジング２側に突出してハウジング２に接する一対のハウジング接触部２６をホルダー板部２１に設けることも特徴とする。さらには、ハウジング接触部２６を撓み許容空間２５の両側に配設することも特徴とする。
【００４７】
以上の特徴により、次のような効果を奏する。すなわち、電線８に対し外力が加わった場合でも電線８の損傷を防止することができるという効果を奏する。
【００４８】
尚、ハウジング接触部２６をハウジング２内におけるホルダー１４のガタ付き防止部として用いれば、例えば振動等が伝わったとしてもホルダー１４のガタ付きを防止することもできる。
【実施例２】
【００４９】
以下、図面を参照しながら実施例２を説明する。図５は具体例となるＬＥＤユニットの図であり、（ａ）は斜視図、（ｂ）は分解斜視図、（ｃ）はホルダー板部及び撓み許容空間の図である。
【００５０】
図５において、実施例２は実施例１のＬＥＤユニット１（図１及び図２参照）の形状をより具体化した例であり、ここでのＬＥＤユニット５１も、ハウジング５２と、機能部５３と、カバー５４とを含んで構成される。このような各構成の機能は、実施例１と同様である。すなわち、機能部５３は、ハウジング５２の後部に開口する開口部５を介して収容空間６に収容される。開口部５は、電線引き出し部分７を残してカバー５４にて覆われる。電線引き出し部分７からは、機能部５３に接続された複数本の電線８が引き出される。電線８は、コルゲートチューブ５５に収容されて外部から保護される。
【００５１】
電線引き出し部分７に設けられる電線保護構造９としては、機能部５３を構成するホルダー１４のホルダー板部２１と、このホルダー板部２１の撓みを許容する撓み許容空間２５と、ホルダー板部２１に突出形成されるハウジング接触部２６とを有する。実施例２の電線保護構造９も実施例１と同じ作用効果を奏する。
【００５２】
この他、本発明は本発明の主旨を変えない範囲で種々変更実施可能なことは勿論である。
【符号の説明】
【００５３】
１…ＬＥＤユニット、  ２…ハウジング、  ３…機能部、  ４…カバー、  ５…開口部、  ６…収容空間、  ７…電線引き出し部分、  ８…電線、  ９…電線保護構造、  １０…光透過部、  １１…係止突起、  １２…係合凹部、  １３…回路基板アッセンブリ、  １４…ホルダー、  １５…防水パッキン、  １６…防水栓、  １７…基板、  １８…ＬＥＤ、  １９…電子部品、  ２０…ホルダー本体、  ２１…ホルダー板部、  ２２…基板保持部、  ２３…パッキン取り付け部、  ２４…電線挿通孔、  ２５…撓み許容空間、  ２６…ハウジング接触部、  ２７…カバー本体、  ２８…係止アーム、  ５１…ＬＥＤユニット、  ５２…ハウジング、  ５３…機能部、  ５４…カバー、  ５５…コルゲートチューブ
【図１】
0005829559.tif 000002
【図２】
0005829559.tif 000003
【図３】
0005829559.tif 000004
【図４】
0005829559.tif 000005
【図５】
0005829559.tif 000006